(57)【要約】【課題】必要に応じて切替室の湿度をより高めに維持することが可能な冷蔵庫を提供する。【解決手段】温度切替室６に対して冷蔵用冷気，冷凍用冷気の双方が導入可能となるように構成し、制御装置は、温度切替室６の検出温度及び検出湿度を参照することで、当該切替室の温度設定及び湿度設定並びに冷却運転モードの実行状態に応じてＲダンパ，Ｆダンパの開閉を制御し、各冷気の流入を調整する。【選択図】図１
2007120913.tif 000002
【特許請求の範囲】
【請求項１】
冷凍サイクル中を循環する冷媒を冷凍用蒸発器と冷蔵用蒸発器とに交互に流すことで、冷凍室を冷却する冷凍運転モードと冷蔵室を冷却する冷蔵運転モードとを切り替えて各室を冷却する冷却制御手段と、
前記冷蔵用蒸発器から切替室に冷気を流通させる経路中に設けられ、前記冷気の流通を遮断するための冷蔵側ダンパと、
前記冷凍用蒸発器から前記切替室に冷気を流通させる経路中に設けられ、前記冷気の流通を遮断するための冷凍側ダンパと、
前記切替室の温度を検出する温度検出手段と、
前記切替室の湿度を検出する湿度検出手段と、
前記切替室の検出温度及び検出湿度を参照することで、当該切替室の温度設定及び湿度設定並びに前記冷却制御手段による運転モードの実行状態に応じて、前記冷蔵側ダンパ及び冷凍側ダンパの開閉を制御するダンパ制御手段とを備えることを特徴とする冷蔵庫。
【請求項２】
前記ダンパ制御手段は、前記切替室の温度が設定よりも高く、且つ前記切替室の湿度が設定よりも低い場合は、前記冷蔵運転モードの実行時に前記冷蔵側ダンパを開くことを特徴とする請求項１記載の冷蔵庫。
【請求項３】
前記冷蔵用蒸発器から切替室に冷気を流通させる経路中に設けられる冷蔵用ファンを備え、
前記ダンパ制御手段は、前記切替室の温度が設定よりも高く、且つ前記切替室の湿度が設定よりも低い場合は、前記冷凍運転モードの実行時に前記冷蔵側ダンパを開き、
前記冷却制御手段は、前記ダンパ制御手段が前記冷凍運転モードの実行時に前記冷蔵側ダンパを開く場合には、前記冷蔵用ファンを回転させることを特徴とする請求項１又は２記載の冷蔵庫。
【請求項４】
前記ダンパ制御手段は、前記切替室の温度が設定よりも高く、且つ前記切替室の湿度が設定通りである場合は、前記冷蔵運転モードの実行中に前記冷蔵側ダンパを開くことを特徴とする請求項１乃至３の何れかに記載の冷蔵庫。
【請求項５】
前記ダンパ制御手段は、前記切替室の温度が設定よりも高く、且つ前記切替室の湿度が設定通りである場合は、前記冷凍運転モードの実行中に前記冷凍側ダンパを開くことを特徴とする請求項１乃至４の何れかに記載の冷蔵庫。
【請求項６】
前記ダンパ制御手段は、前記切替室の温度が設定通りであり、且つ前記切替室の湿度も設定通りである場合は、前記冷蔵運転モードの実行中に前記冷蔵側ダンパを開くことを特徴とする請求項１乃至５の何れかに記載の冷蔵庫。
【請求項７】
前記ダンパ制御手段は、前記切替室の温度が設定通りである場合は、前記冷凍側ダンパを常に閉じることを特徴とする請求項１乃至６の何れかに記載の冷蔵庫。
【請求項８】
前記ダンパ制御手段は、前記切替室の温度が設定よりも低く、且つ前記切替室の湿度が設定よりも低い場合は、冷却運転の停止中に前記冷蔵側ダンパを開くことを特徴とする請求項１乃至７の何れかに記載の冷蔵庫。
【請求項９】
前記ダンパ制御手段は、前記切替室の温度が設定よりも低く、且つ前記切替室の湿度が設定通りである場合は、前記冷蔵側ダンパ及び前記冷凍側ダンパを何れも閉じることを特徴とする請求項１乃至８の何れかに記載の冷蔵庫。
【請求項１０】
前記切替室には、前記冷蔵用冷気の吹出し口と吸込み口とが設けられており、
前記冷蔵側ダンパによってそれらを同時に開閉させることを特徴とする請求項１乃至９の何れかに記載の冷蔵庫。
【請求項１１】
前記切替室には、前記冷凍用冷気の吹出し口と吸込み口とが設けられており、
前記冷凍側ダンパによってそれらを同時に開閉させることを特徴とする請求項１乃至１０の何れかに記載の冷蔵庫。
【請求項１２】
前記ダンパ制御手段は、前記冷蔵側ダンパと前記冷凍側ダンパとを、同時に開くことを禁止するように制御することを特徴とする請求項１乃至１１の何れかに記載の冷蔵庫。
【発明の詳細な説明】
【技術分野】
【０００１】
本発明は、冷却温度の設定をより広範囲に変化可能に構成される切替室を備える冷蔵庫に関する。
【背景技術】
【０００２】
近年、生活パターンや家族形態の多様化から、冷蔵庫商品へのユーザーニーズは消費電力の低減やフロン問題など環境対応にとどまらず、多様な貯蔵雰囲気室の設置や貯蔵温度毎の収納容量の拡大、貯蔵室内の湿度維持、使い勝手の向上など広範囲にわたっている。
このような商品環境下では、冷蔵室や野菜室などの冷蔵温度空間の貯蔵室は冷媒蒸発温度を比較的高く設定した冷蔵用蒸発器で冷却し、冷凍室と製氷室および温度切替室などの冷凍温度空間は蒸発温度を低く設定した冷凍用蒸発器で冷却するように冷凍サイクルが構成されるものがある。即ち、冷凍空間および冷蔵空間の個々に専用の蒸発器およびファンを設けて夫々の冷却温度に合わせた蒸発温度を設定し、冷凍サイクルの効率を向上させるとともに、冷蔵空間の湿度を高くして食品鮮度を長期に保持するようにした冷蔵庫が商品化されている。
【０００３】
そして、各貯蔵室の設置形態については、使用頻度が高く収納容積の最も大きい冷蔵室を最上段に設置し、その下方に野菜室、最下部に冷凍室を設置したタイプが主流となっている。さらに、比較的小容量の製氷室や温度切替室などを冷蔵室と野菜室との間に配設することで、使い勝手を向上させた冷蔵庫も提案されている（例えば、先行出願：特願２００５−８６０３１号参照）。
この先行出願による構成では、冷媒流路切替弁である三方弁の一方に冷蔵用蒸発器、他方に冷凍用蒸発器を接続し、冷蔵用蒸発器に冷媒を流して冷蔵室や切替室の冷蔵空間を冷却する冷蔵運転モードと、冷凍用蒸発器側に冷媒を流して冷凍室や製氷室などの冷凍空間を冷却する冷凍運転モードとを交互に切替えるように制御されている。また、ある種の冷蔵庫では、冷蔵側と冷凍側とを同時に冷却するように運転を行うものがある。
【０００４】
一般的に野菜室は、冷蔵室とほぼ同じかそれ以上の庫内温度、例えば、４℃程度に保持されるのが好ましく、またその湿度は、例えば、８０〜９０％のように高く保持される状態が野菜の貯蔵に適している。冷凍用および冷蔵用の各ファンは、各蒸発器で生成された冷気を各貯蔵空間に吐出するため夫々のモードに対応して運転されるが、冷蔵用ファンは冷凍運転モード中にも回転させるようにしている。即ち、冷蔵用蒸発器に付着した霜を融解させて水分を多く含んだ冷気を冷蔵空間に吹き出し循環させて冷蔵室と野菜室との湿度を高く保持させ、更に、冷凍運転モードでは積極的に野菜室のダンパを開くことで、霜の融解により加湿した冷気を取り込むようにしている。
【０００５】
一方、冷蔵室は容量が大きく、且つ収容されている物品の量も比較的多いことから、冷蔵運転モードでは、室内温度を維持するため冷蔵用ファンを回転させて冷気を供給することが必要である。この場合、冷蔵用蒸発器によって冷却された乾燥冷気が野菜室内に流入すすると当該室内の湿度が低下するため、野菜室ではダンパを閉じて湿度を保持する必要がある。
【発明の開示】
【発明が解決しようとする課題】
【０００６】
ところで、切替室を野菜室と同様の温度に設定して使用する場合には、上記と同様に湿度を保持するための対応が必要となる。しかしながら、切替室については、設定温度が冷凍から冷蔵までの広範囲にわたるため、冷凍用蒸発器からの冷凍用冷気のみが供給されて温度調節を行うようになっている。そのため、温度設定を野菜室と同様にしても、湿度を高く維持することが困難であり、切替室に野菜を収容すると傷みが早くなるという問題があった。
本発明は上記事情に鑑みてなされたものであり、その目的は、必要に応じて切替室の湿度をより高めに維持することが可能な冷蔵庫を提供することにある。
【課題を解決するための手段】
【０００７】
上記目的を達成するため、本発明の冷蔵庫は、冷凍サイクル中を循環する冷媒を冷凍用蒸発器と冷蔵用蒸発器とに交互に流すことで、冷凍室を冷却する冷凍運転モードと冷蔵室を冷却する冷蔵運転モードとを切り替えて各室を冷却する冷却制御手段と、
前記冷蔵用蒸発器から切替室に冷気を流通させる経路中に設けられ、前記冷気の流通を遮断するための冷蔵側ダンパと、
前記冷凍用蒸発器から前記切替室に冷気を流通させる経路中に設けられ、前記冷気の流通を遮断するための冷凍側ダンパと、
前記切替室の温度を検出する温度検出手段と、
前記切替室の湿度を検出する湿度検出手段と、
前記切替室の検出温度及び検出湿度を参照することで、当該切替室の温度設定及び湿度設定並びに前記冷却制御手段による運転モードの実行状態に応じて、前記冷蔵側ダンパ及び冷凍側ダンパの開閉を制御するダンパ制御手段とを備えることを特徴とする。
即ち、切替室に冷蔵用冷気と冷凍用冷気とを双方とも供給可能とし、各冷気の供給を、夫々に対応して設けられた冷蔵側及び冷凍側ダンパによって行うように構成する。従って、ダンパ制御手段が、切替室の検出温度及び検出湿度を参照し、設定温度及び設定湿度と冷却運転モードの実行状態とに応じて双方のダンパの開閉を制御すれば、切替室の温度を調整できると共に湿度もより柔軟に調整することができる。
【発明の効果】
【０００８】
本発明の冷蔵庫によれば、切替室の湿度を、従来よりも高い状態に維持することが可能となるので、冷蔵対象とする食品等の種類に応じて、切替室の温度と共に湿度も最適となるように設定することができる。
【発明を実施するための最良の形態】
【０００９】
以下、本発明の一実施例について図面を参照して説明する。図１は冷蔵庫の扉を省略した正面図、図２は縦断面図を示す。冷蔵庫本体１は、外箱と内箱との間に発泡断熱材を充填して断熱箱体２を形成し、内部には上方から冷蔵室３、野菜室４、そして製氷室５と温度切替室６とを併設し、最下部に冷凍室７を配設している。冷蔵室３及び野菜室４は、庫内温度が２〜４℃の冷蔵温度空間であることから、透明プラスチック製の仕切板によって区画され、冷凍貯蔵空間である他の貯蔵室５，６，７はそれぞれ断熱仕切壁によって区画されている。また、各室はそれぞれ独立した開閉扉を有している。
【００１０】
野菜室４の背面には冷蔵冷却室８を設け、内部には冷蔵用蒸発器９と冷蔵空間内に冷気を循環させるＲファン（冷蔵用ファン）１０とを設置しており、冷蔵冷却室８の側方には、冷蔵室４の背面下部に形成したＲ吸込口１１からのリターンダクト１２を配設して冷蔵冷却室８の下部と連通させている。
また、冷蔵冷却室８の上方には、野菜室４へ冷気を吹き出すＶ吹出口１３を設けるとともに、野菜室４の下方には、室内の空気を冷蔵冷却室８に戻すＶ吸込口１４を設けている。そして、Ｖ吹出口１３の近傍には、その開口を開閉することで野菜室４への吹き出し冷気量を調整するＶ吸込口ダンパ１５が設けられている（図２参照）。また、Ｖ吸込口１４についても、その開口を開閉するＶ吹出口ダンパ３７が設けられている（図２参照）。
【００１１】
冷蔵室３の背面には、冷蔵冷却室８から冷蔵室の天井面に亙って背面・天井ダクト１６を設け、冷蔵室内の各棚上に冷気を吹き出す複数のＲ吹出口１７を穿設しており、室内を循環した冷気はＲ吸込口１１から前記リターンダクト１２を介して、直接冷蔵室３の冷気を冷蔵冷却室８内の蒸発器９に戻すように構成している。
また、本実施例では、温度切替室６についても冷蔵用の冷気を循環させるように構成されている。即ち、温度切替室６には、冷蔵冷却室８及びＶ吹出口１３とダクト４１を介して連通するＳ吹出口４２が設けられていると共に、リターンダクト４３を介して冷蔵冷却室８に連通するＳ吸込口４４が設けられている。そして、Ｓ吹出口４２及びＳ吸込口４４は、図１中で左右に並ぶように配置されており、これらは１つのＳダンパ４５（図４参照，冷蔵側ダンパ）によって同時に開閉されるようになっている。
【００１２】
一方、製氷室５、温度切替室６、冷凍室７などの冷凍貯蔵空間は、前記各室の背面部に形成した冷凍冷却室１８内に配置した冷凍用蒸発器１９と冷凍空間内に冷気を循環させるＦファン２０の回転によって、各室を設定した温度になるよう冷却制御している。
温度切替室６には、冷凍冷却室１８に連通するＳ吹出口４６が設けられていると共に、リターンダクト４７を介して冷凍冷却室１８に連通するＳ吸込口４８が設けられている。そして、Ｓ吹出口４６及びＳ吸込口４８も、やはり図１中で左右に並ぶように配置されており、これらは１つのＳダンパ４９（図４参照，冷凍側ダンパ）によって同時に開閉されるようになっている。
【００１３】
なお、前記冷凍用蒸発器１９の下部には、除霜ヒータ２１が設けられており、冷凍サイクルにおける圧縮機２３の運転積算時間が所定時間、例えば、８時間に達すると、後述する冷凍運転モード終了後に除霜ヒータ２１に通電を行なう。そして、加熱による霜の融解が進んで冷凍用蒸発器１９の温度が上昇し、除霜終了とみなす温度、例えば、３℃を検知した際には通電を終了させる。
【００１４】
図３は、冷凍サイクル２２の構成を示すものである。圧縮機２３の吐出側から順に凝縮器２４、三方弁２５を接続し、三方弁２５の一方側には冷蔵側毛細管２６、前記冷蔵用蒸発器９が直列となるように接続している。三方弁２５の他方側には、冷凍側毛細管２７、冷凍用蒸発器１９を直列に接続して、冷凍用蒸発器１９の出口側と圧縮機２３の吸込側とを接続するように構成している。また、冷蔵用蒸発器９の出口側は、冷凍側毛細管２７の出口側と冷凍用蒸発器１９の入口側との間に接続させている。
【００１５】
三方弁２５は、制御装置の信号によって冷媒の流れ方向を切り替え、冷蔵用蒸発器９側あるいは冷凍側蒸発器１９側に交互に冷媒を流して冷却するよう制御されており、冷蔵運転モードとして、三方弁２５により冷媒を冷蔵用蒸発器９側に流すようにすると、冷凍サイクルを流れる冷媒は、主に冷蔵用蒸発器９内で蒸発し、熱交換により低温化された冷気をＲファン１０で強制循環することによって、冷蔵貯蔵空間である冷蔵室３，野菜室４及び温度切替室６を冷却する。
また、冷凍運転モードになると、冷媒は冷凍用蒸発器１９に直接導入されて低い蒸発温度で蒸発し、熱交換により低温−２０℃以下の低温となった冷気をＦファン２０で冷凍空間である冷凍室７や製氷室５あるいは温度切替室６に導入して強制循環させることによって、各室を所定温度に冷却するように制御する。
【００１６】
図４は、制御系の構成を示す機能ブロック図である。制御装置（冷却制御手段，ダンパ制御手段）３０は、冷蔵室３内の温度を検知する冷蔵室温度センサ３１、主に冷凍室７の庫内温度を検知する冷凍室温度センサ３２の入力値と設定されている庫内温度とを比較して圧縮機２３、各ファン１０，２０の運転を行う。また、冷蔵運転モードと冷凍運転モードとの切り替えは、冷却中の各室内温度が所定温度に達するか、或いは冷却運転時間が所定時間に達するか、に基づいて行う。例えば、冷蔵温度センサ３１の検知温度が０℃、冷凍温度センサ３２の検知温度が−２０℃に達するか、或いは例えば冷蔵運転モードでは１５分〜２０分、冷凍運転モードでは３０分〜４０分に達すると、三方弁２５を動作させて他方の冷却運転モードに切替える。
また、制御装置３０は、野菜室温度センサ３３，野菜室湿度センサ３４により野菜室４の庫内温度，湿度を検知し、切替室温度センサ（温度検出手段）３５，切替室湿度センサ（湿度検出手段）３６により温度切替室６の庫内温度，湿度を検知するようになっている。尚、野菜室４に関する冷却制御については、特願２００５−８６０３１号に記載されている。
【００１７】
次に、本実施例の作用について図５も参照して説明する。本発明は、温度切替室６に関する冷却制御を如何にして行うかを主眼とするものであり、以下、その冷却制御について説明する。尚、温度切替室６については、野菜を貯蔵する目的で野菜室４と同様の温度である例えば４℃に設定された場合を想定する。この場合、温度切替室６の湿度は、やはり野菜室４と同様に、８０％〜９０％の高い状態に維持することが望ましい。
【００１８】
図５は、温度切替室６におけるＳダンパ４５，４９の開閉を、冷却運転モード、切替室６の温度並びに湿度に基づいてどのように制御するかを示すテーブルである。尚、図５において、「Ｒダンパ」とは冷蔵側のＳダンパ４５に対応し、「Ｆダンパ」とは冷凍側のＳダンパ４９に対応する。以下、説明の都合上、前者をＲダンパ４５、後者をＦダンパ４９と称する。
またこの場合、図５における「温度中」は設定温度である４℃に対応し、「温度高」は５℃以上、「温度低」は３℃以下に対応する。また、「湿度高」は設定湿度である８０％以上に対応し、「湿度低」は８０％未満に対応する。そして、「Ｆ冷却」は冷凍運転モード、「Ｒ冷却」は冷蔵運転モードに対応し、「停止」は冷却運転を停止している状態に対応する。
【００１９】
以下では、図５に示す各ケースに応じて説明を行う。
（１）温度高／湿度低
この場合、冷蔵運転モードにおいてはＲダンパ４５を開いて温度切替室６に冷気を導入する。すると、湿度は更に低下することになるが、温度を下げることを優先する。また、冷凍運転モードにおいてもＲダンパ４５を開くようにする。冷凍運転モードでは、冷蔵側蒸発器９に冷媒は流れないが、Ｒファン１０を回転させることで蒸発器９に付着している霜を溶かし、Ｒダンパ４５を開くことで高い湿度の冷気を温度切替室６に導入する。従って、温度切替室６の湿度を上昇させることができる。
（２）温度高／湿度高
この場合、温度切替室６の湿度には余裕があるため、冷蔵運転モードにおいては冷却を促進するためＲダンパ４５を開くようにする。また、湿度が過剰に上昇すると野菜などの表面に結露が発生するため、更なる湿度の上昇は抑制する方が適切である。そして、冷凍運転モードにおいても、同様に冷却を促進するためＦダンパ４９を開くようにする。
【００２０】
（３）温度中／湿度低
この場合、温度切替室６の温度設定は適切であるから、冷蔵運転モードにおいては湿度の低下を防止するためＲダンパ４５を閉じる。また、冷凍運転モードにおいては、ケース（１）と同様に、Ｒファン１０を回転させることで冷蔵側蒸発器９に付着している霜を溶かし、高湿度の冷気を温度切替室６に導入して湿度の上昇を図る。
（４）温度中／湿度高
この場合、基本的には温度，湿度共に最適な制御状態にあると言えるが、冷蔵運転モードにおいてＲダンパ４５を開き、温度変化のヒステリシスを考慮して「温度低」となるまで冷却を継続する。また、Ｆダンパ４９については、冷凍運転モードであっても閉じるようにする。即ち、温度切替室６の冷却を積極的に促進する必要はないので、冷凍室７の冷却を中心に制御を行えば良い。更に、冷蔵運転モードでもＦダンパ４９を閉じることで、冷蔵空間側の湿度が冷凍空間側に及ぶことが回避される。
【００２１】
（５）温度低／湿度低
温度が設定より低い場合、冷却制御は停止されるが、Ｒダンパ４５を開くようにする。即ち、ケース（１）や（３）と同様に、Ｒファン１０を回転させることで高湿度の冷気を温度切替室６に導入して湿度を上昇させる。
（６）温度低／湿度高
この場合も冷却制御は停止されるが、Ｒダンパ４５，Ｆダンパ４９を双方とも閉じることで、温度切替室６の湿度の更なる上昇を回避する。
【００２２】
以上のように本実施例によれば、温度切替室６に対して冷蔵用冷気，冷凍用冷気の双方が導入可能となるように構成し、制御装置３０は、温度切替室６の検出温度及び検出湿度を参照することで、当該切替室の温度設定及び湿度設定並びに冷却運転モードの実行状態に応じてＲダンパ４５，Ｆダンパ４９の開閉を制御し、各冷気の流入を調整するようにした。従って、温度切替室６の湿度を従来よりも高い状態に維持することが可能となり、冷蔵対象とする食品等の種類に応じて、温度切替室６の温度と共に湿度も最適となるように設定することができる。
【００２３】
また、制御装置３０は、温度切替室６の温度が設定よりも高く且つ湿度が設定よりも低い場合は、冷蔵運転モードの実行時にＲダンパ４５を開くので、温度切替室６の温度をより早く低下させることができる。そして、温度切替室６の温度並びに湿度が同様の状況において、制御装置３０は、冷凍運転モードの実行時にもＲダンパ４５を開き、Ｒファン１０を回転させるので、温度切替室６に高湿度の冷気を導入して湿度を上昇させることができる。
また、制御装置３０は、温度切替室６の温度が設定よりも高く、且つ湿度が設定通りである場合は冷蔵運転モードの実行中にＲダンパ４５を開き、冷凍運転モードの実行中にＦダンパ４９を開くので、温度切替室６の冷却を促進することができる。
【００２４】
また、制御装置３０は、温度切替室６の温度及び湿度が設定通りである場合は冷蔵運転モードの実行中にＲダンパ４５を開き、温度が設定通りであればＦダンパ４９を常に閉じるので、温度切替室６の温度上昇を抑制するように適度な冷却を行うことができる。
また、制御装置３０は、温度切替室６の温度及び湿度が設定よりも低い場合は、冷却運転の停止中にＲダンパ４５を開くので、Ｒファン１０を回転させて「うるおい運転」を行うことで、湿度を上昇させることができる。そして、温度切替室６の温度が設定よりも低く、且つ湿度が設定通りである場合は、Ｒダンパ４５及びＦダンパ４９を何れも閉じることで、冷気の流通を遮断して冷却を停止させることができる。
【００２５】
加えて、温度切替室６に、冷蔵用冷気の吹出し口，吸込み口であるＳ吹出口４２及びＳ吸込口４４を設け、制御装置３０は、Ｒダンパ４５によってそれらを同時に開閉させるようにした。また、温度切替室６には、冷凍用冷気の吹出し口，吸込み口であるＳ吹出口４６，Ｓ吸込口４８を設け、Ｆダンパ４９によってそれらを同時に開閉させるようにした。従って、冷気の遮断をより確実に図ることができる。更に、制御装置３０は、Ｒダンパ４５と、Ｆダンパ４９とを同時に開くことを禁止するので、一方の冷気が他方の経路に混入することを防止できる。
【００２６】
本発明は上記し且つ図面に記載した実施例にのみ限定されるものではなく、以下のような変形または拡張が可能である。
温度切替室６の設定温度や設定湿度は、適宜変更して実施すれば良い。また、野菜室４に相当する温度設定に限ることはない。
図５に示す温度の分類において、「温度中」には幅を持たせても良い。例えば、「温度中」を２℃〜４℃に設定し、５度以上の場合を「温度高」とし、１℃以下を「温度低」としても良い。
Ｓ吹出口４２及びＳ吸込口４４，Ｓ吹出口４６及びＳ吸込口４８を夫々開閉するためのダンパを、個別に設けても良い。
【図面の簡単な説明】
【００２７】
【図１】本発明の一実施例であり、冷蔵庫の扉を省略した正面図
【図２】冷蔵庫の縦断面図
【図３】冷凍サイクルの構成を示す図
【図４】制御系の構成を示す機能ブロック図
【図５】温度切替室におけるＳダンパの開閉制御に使用されるテーブルを示す図
【符号の説明】
【００２８】
図面中、３は冷蔵室、６は温度切替室、７は冷凍室、９は冷蔵用蒸発器、１０はＲファン（冷蔵用ファン）、１９は冷凍用蒸発器、３０は制御装置（冷却制御手段，ダンパ制御手段）、３５は切替室温度センサ（温度検出手段）、３６は切替室湿度センサ（湿度検出手段）、４２はＳ吹出口、４４はＳ吸込口、４５はＳダンパ（冷蔵側ダンパ）、４６はＳ吹出口、４８はＳ吸込口、４９はＳダンパ（冷凍側ダンパ）を示す。
【図１】
2007120913.tif 000003
【図２】
2007120913.tif 000004
【図３】
2007120913.tif 000005
【図４】
2007120913.tif 000006
【図５】
2007120913.tif 000007